(57)【特許請求の範囲】
【請求項１】
住宅の監視すべき部位に取り付けられて、正常、異常の２種類の信号を発信可能な複数の無線センサと、これら無線センサからの信号を個別に登録する信号登録部を備えたコントローラとを有し、このコントローラがこれに接続された外部装置および／または該コントローラに設けられた内部装置を制御する住宅の監視制御システムであって、
前記コントローラは、前記信号登録部への登録後に前記無線センサから受信した信号と、前記信号登録部に登録された信号とを比較して、異常信号が一致する場合に監視すべき住宅の部位の異常を、前記外部装置および／または内部装置を制御することによって警報し、
前記コントローラには、前記無線センサから初めて受信した信号を登録可能な登録モードと前記外部装置および／または内部装置を制御する際に前記無線センサからの信号を受信する制御モードとを切替可能な切替部が設けられていることを特徴とする住宅の監視制御システム。
【請求項２】
請求項１に記載の住宅の監視制御システムにおいて、
前記コントローラは、複数種類の制御プログラムが登録された制御プログラム登録部と、この制御プログラム登録部から所望の制御プログラムを選択する選択手段と、前記外部装置および／または内部装置を制御するための制御信号が登録された制御信号登録部とを備え、
前記制御信号登録部に登録されている制御信号と、前記信号登録部に登録されている信号とは対応付けられており、
前記選択手段によって選択された制御プログラムによって前記外部装置および／または内部装置を制御するに際し、前記無線センサから受信した異常信号と、前記信号登録部に登録された異常信号とを比較手段によって比較し、これらが一致した場合に、前記制御信号登録部から所定の制御信号を抽出して、この制御信号によって前記外部装置および／または内部装置を制御することを特徴とする住宅の監視制御システム。
【請求項３】
請求項１または２に記載の住宅の監視制御システムにおいて、
前記コントローラには、前記登録モードの際に、前記無線センサから初めて受信した信号を、所望の制御信号に対応付けて前記信号登録部に登録する登録手段が設けられていることを特徴とする住宅の監視制御システム。
【請求項４】
請求項１〜３のいずれか一項に記載の住宅の監視制御システムにおいて、
前記コントローラには、前記制御信号登録部に、制御信号を登録し、また、前記制御信号登録部に登録されている制御信号を削除する入力手段が設けられていることを特徴とする住宅の監視制御システム。
【請求項５】
請求項１〜４のいずれか一項に記載の住宅の監視制御システムにおいて、
前記コントローラには、前記制御プログラム登録部に制御プログラムを登録し、また、前記制御プログラム登録部に登録されている制御プログラムを削除する入力手段が設けられていることを特徴とする住宅の監視制御システム。
【発明の詳細な説明】
【技術分野】
【０００１】
本発明は、住宅の監視制御システムに関する。
【背景技術】
【０００２】
一般に、防犯用の警報システムでは、不正な侵入者を検知するために、予め侵入経路となりそうな場所にセンサを設置し、センサによる検出に応じて警報を発するようになっている。通常、侵入経路となりそうな複数の場所にそれぞれセンサを設置しておき、複数のセンサによる検知状況を監視装置に集めて集中管理する場合が多い。また、検知状況を外部に報知する必要がある場合、監視装置から公衆網などを介して検知状況を送信する場合がある。
【０００３】
このような警報システムの一例として特許文献１に記載のシステムが知られている。この警報システムは、親機に対して複数の子機を無線接続することができるコードレス電話システムを利用した警報システムであって、前記子機は、センサ機器を接続する接続手段と、前記接続手段により接続されたセンサ機器から異常検知が通知された場合に、緊急通報であることを示す緊急通報番号を含む呼設定メッセージを前記親機に対して送信する送信手段とを具備し、前記親機は、子機からの呼設定メッセージが緊急通報であることを判別するための緊急通報番号を登録するための緊急通報番号登録手段と、前記送信手段から送信された呼設定メッセージに、前記登録手段に登録された緊急通報番号が含まれているかを判別する緊急通報番号判別手段と、前記緊急通報番号判別手段によって前記登録手段に登録された緊急通報番号が含まれていると判別された場合に警報を出力する警報出力手段とを具備したことを特徴としている。
【特許文献１】特開２００３−２３４８４７号公報
【発明の開示】
【発明が解決しようとする課題】
【０００４】
ところが、上記のような従来の警報システムでは、通常親機と子機とは同一メーカ製のものであり、例えばＡ社製の子機に、デザイン的や機能的な不満があっても、Ａ社製の親機を使用した場合、同じＡ社製の子機しかシステムに組み込むことはできず、使用者にとって不満が残る場合が多い。また、センサ機器の設置数を増加するために子機を増加したい場合に、既にＡ社製の親機と子機を有するコードレス電話器が生産終了していた場合に、子機を買い足すことができず、よってセンサ機器の設置数を容易に増加できず、この場合、コードレス電話器全てを取り替える必要が生じてしまう。
【０００５】
本発明は上記事情に鑑みてなされたもので、コードレス電話システムを使用することなく、不正な侵入者などの異常状態を検知するセンサを、該センサの製造メーカ等に拘らず、容易に組み込んだり、取り替えたり、追加できるようにした住宅の監視制御システムを提供することを課題としている。
【課題を解決するための手段】
【０００６】
上記課題を解決するために、請求項１に記載の発明は、例えば図１に示すように、住宅の監視すべき部位に取り付けられて、正常、異常の２種類の信号を発信可能な複数の無線センサ１と、これら無線センサ１からの信号を個別に登録する信号登録部４を備えたコントローラ２とを有し、このコントローラ２がこれに接続された外部装置３および／または該コントローラ２に設けられた内部装置を制御する住宅の監視制御システムであって、
前記コントローラ２は、前記信号登録部４への登録後に前記無線センサ１から受信した信号と、前記信号登録部４に登録された信号とを比較して、異常信号が一致する場合に監視すべき住宅の部位の異常を、前記外部装置３および／または内部装置を制御することによって警報し、
前記コントローラ２には、前記無線センサ１から初めて受信した信号を登録可能な登録モードと前記外部装置３および／または内部装置を制御する際に前記無線センサ１からの信号を受信する制御モードとを切替可能な切替部６が設けられていることを特徴とする。
【０００７】
請求項１に記載の発明によれば、まず、コントローラ２の信号登録部４に、各無線センサ１の信号を登録しておき、この登録後に、前記無線センサ１から受信した信号と信号登録部４に登録された信号とを比較して異常信号が一致する場合に、前記コントローラ２によって外部装置３および／または内部装置を制御して警報する。したがって、無線センサ１の製造メーカ、形式等に拘らず、該無線センサ１をシステムに組み込むことができ、また、無線センサ１を新たに追加する際に、センサメーカが無線センサ１にユニークな番号を付しても、無線センサ１をシステムに組み込むことができる。したがって、不正な侵入者などの異常状態を検知するセンサ１を、該センサ１の製造メーカ等に拘らず、容易に組み込んだり、取り替えたり、追加できる。
【０００９】
また、切替部６によってコントローラ２を登録モードに設定することによって、システムに組み込んだ無線センサ１の信号を確実に信号登録部４に登録することができ、また、切替部６によってコントローラ２を制御モードに設定することによって、外部装置３および／または内部装置を制御して異常の際に警報可能な状態とすることができる。
【００１０】
請求項２に記載の発明は、請求項１に記載の住宅の監視制御システムにおいて、
前記コントローラ２は、複数種類の制御プログラムが登録された制御プログラム登録部１０と、この制御プログラム登録部１０から所望の制御プログラムを選択する選択手段１１と、前記外部装置３および／または内部装置を制御するための制御信号が登録された制御信号登録部１２とを備え、
前記制御信号登録部１２に登録されている制御信号と、前記信号登録部４に登録されている信号とは対応付けられており、
前記選択手段１１によって選択された制御プログラムによって前記外部装置３および／または内部装置を制御するに際し、前記無線センサ１から受信した異常信号と、前記信号登録部４に登録された異常信号とを比較手段によって比較し、これらが一致した場合に、前記制御信号登録部１２から所定の制御信号を抽出して、この制御信号によって前記外部装置３および／または内部装置を制御することを特徴とする。
【００１１】
請求項２に記載の発明によれば、選択手段１１によって制御プログラム登録部１０から所望の制御プログラムを選択することによって、住宅の状態に応じた監視制御を行うことができる。すなわち、制御信号登録部１２に登録されている制御信号と、信号登録部４に登録されている信号とは対応付けられており、無線センサ１から受信した異常信号と、信号登録部４に登録された異常信号とを比較手段によって比較し、これらが一致した場合に、制御信号登録部１２から所定の制御信号を抽出して、この制御信号によって前記外部装置３および／または内部装置を制御するので、住宅の状態に応じた監視制御を容易に行うことができる。
【００１２】
請求項３に記載の発明は、請求項１または２に記載の住宅の監視制御システムにおいて、前記コントローラ２には、前記登録モードの際に、前記無線センサ１から初めて受信した信号を、所望の制御信号に対応付けて前記信号登録部４に登録する登録手段８が設けられていることを特徴とする。
【００１３】
請求項３に記載の発明によれば、無線センサ１から初めて受信した信号を、登録手段８によって、所望の制御信号に対応付けて信号登録部４に登録するので、無線センサ１の種類等に拘らず、外部装置３や内部装置を制御できる。
【００１４】
請求項４に記載の発明は、請求項１〜３のいずれか一項に記載の住宅の監視制御システムにおいて、
前記コントローラ２には、前記制御信号登録部１２に、制御信号を登録し、また、前記制御信号登録部１２に登録されている制御信号を削除する入力手段１６が設けられていることを特徴とする。
【００１５】
請求項４に記載の発明によれば、入力手段１６によって制御信号登録部１２に制御信号を登録することができるので、制御すべき外部装置３を追加した場合に、この外部装置３を容易に制御できる。また、制御信号登録部１２に登録されている制御信号を入力手段１６によって削除することができるので、制御すべき外部装置３を削除した場合に、不要の制御信号を容易に削除できる。
【００１６】
請求項５に記載の発明は、請求項１〜４のいずれか一項に記載の住宅の監視制御システムにおいて、
前記コントローラ２には、前記制御プログラム登録部１０に制御プログラムを登録し、また、前記制御プログラム登録部１０に登録されている制御プログラムを削除する入力手段１１が設けられていることを特徴とする。
【００１７】
請求項５に記載の発明によれば、入力手段１１によって制御プログラム登録部１０に制御プログラムを登録しまた削除することができるので、住宅の状態に応じた監視制御を容易に追加、削除できる。
【発明の効果】
【００１８】
本発明によれば、正常、異常の２種類の信号を発信可能な複数の無線センサと、これら無線センサからの信号を個別に登録する信号登録部を備えたコントローラとを有し、このコントローラが、無線センサから受信した信号と、信号登録部に登録された信号とを比較して、異常信号が一致する場合に監視すべき住宅の部位の異常を、外部装置を制御することによって警報するので、無線センサの製造メーカ、形式等に拘らず、該無線センサをシステムに組み込むことができる。したがって、不正な侵入者などの異常状態を検知するセンサを、該センサの製造メーカ等に拘らず、容易に組み込んだり、取り替えたり、追加できる。
【発明を実施するための最良の形態】
【００１９】
以下、図面を参照して本発明の実施の形態について説明する。
図１は、本発明に係る住宅の監視制御システムのシステム構成を示すブロック図である。図１に示すように、住宅の監視制御システムは、正常、異常の２種類の信号を発信可能な複数の無線センサ１と、これら無線センサ１からの信号を受信可能なコントローラ２と、このコントローラ２によって制御される外部装置３とを備えている。
【００２０】
前記無線センサ１は、住宅の監視すべき部位に取り付けられるものであり、例えば、防犯センサ、ガス漏れ検知センサ、火災検知センサ等であるが、これらに限るものではない。要は、住宅の監視すべき部位に取り付けられ、少なくとも正常、異常の２種類の信号を発信可能なものであればよい。
また、前記センサ以外でも、例えば、住宅のドアホンに接続されて、ドアホンが鳴ったことを検知するセンサ、外部装置３に接続されて外部装置３の電池切れや故障などを検知するセンサ等を設けてもよい。
住宅の監視すべき部位とは、防犯の場合は、例えば窓や戸等の住宅の出入口であり、ガス漏れ検知の場合はガス機器の設置してある部屋、火災検知の場合は住宅の各部屋である。
無線センサ１は、例えば、４２６ＭＨｚ〜４３０ＭＨｚの微弱な電波を発信可能なものであり、正常の場合と異常の場合とで異なる信号を発信するようになっている。また、無線通信の変調方式がどのような種類であろうと、コントローラ２において様々な変調方式（ＡＳＫ、ＦＡＫ、ＰＳＫなど）に対応して処理することが可能である。これは、様々な変調方式を自動で認識する回路を盛り込み、認識した後にその方法で復調を行うことで可能となる。
【００２１】
コントローラ２は、図示しないＣＰＵ（中央演算処理装置）、ＲＡＭやＲＯＭ等のメモリ、液晶表示装置、キーボードやマウスパッド、押ボタン、ダイヤル等の入力装置、無線信号を受信可能な受信装置等を備えた基本ハード構成となっている。
コントローラ２は信号登録部４を備えている。この信号登録部４は、複数の無線センサ１からの信号を個別に登録可能なものであり前記ＲＡＭによって構成されている。
信号登録部４には、例えば、それぞれの無線センサ１からの異常信号と正常信号等がデータとして無線センサ１ごとに登録されるようになっている。このような異常・正常の信号を信号登録部４に登録する場合、まずコントローラ２の受信部（受信装置）５によって無線センサ１から信号を受信する。受信部５は、シンセサイズＰＬＬにより例えば４２６ＭＨｚ〜４３０ＭＨｚまでの間を自動受信するようになっている。これは、各社の無線センサ１の送信周波数が異なるためであり、１秒で前記受信周波数帯が一巡する構成となっており、これを繰り返して無線センサ１からの信号がないかを常時監視している。
【００２２】
上記のような信号登録部４への信号登録（異常信号登録、正常信号登録）は、コントローラ２が登録モードの際に行う。コントローラ２には、登録モードと制御モードとを切替可能な切替部６が設けられており、この切替部６を操作することによってコントローラ２を登録モードに設定する。なお、この切替部６は登録モードと制御モードとを選択可能な押しボタンとしてコントローラ２に設けられている。
登録モードでは、無線センサ１から初めて受信した未登録信号（異常信号、正常信号）を信号登録部４に登録するようになっている。この場合、まず、受信部５が未登録信号を受信すると、未登録信号が検出されたことを表示部（液晶表示装置）７に画面表示する。表示部７では、ユーザにこの未登録信号に名称を付けるように文字等によって促す。
未登録信号の名称としては、例えば「警報信号」、「通知信号」、「故障信号」等がある。「警報信号」は、各無線センサ１からそれぞれ送信されてきた異常信号（例えば、防犯センサでは不正侵入者を感知した場合の信号）の名称である。また、この異常信号とともに、正常信号（通常時に無線センサ１から発信される信号）も信号登録部４に登録されるが、この正常信号には特に名称は付与せず、信号登録部４に登録されるだけである。「通知信号」は、ドアホンに接続された無線センサ１からそれぞれ送信されてきた、「ドアホンが鳴った」などの異常でない信号の名称である。「故障信号」は、各無線センサ１からそれぞれ送信されてきた、「電池切れやセンサ故障等」などの故障信号の名称である。なお、各無線センサ１から初めて異常信号を発信するには、該無線センサ１から異常信号をテスト発信することにより行う。
【００２３】
上記のように、無線センサ１から初めて受信した未登録信号に名称を付与する場合、コントローラ２に設けられた登録手段８によって行う。この場合、例えば、前記表示部７に「警報信号」、「通知信号」、「故障信号」のいずれかを選択するようにユーザに促されるので、登録手段８によっていずれかを選択する。これによって、無線センサ１から初めて受信した未登録信号に名称を付与されたうえで、この未登録信号が信号登録部４に登録される。なお、上記のような一連の処理処理は、ＲＯＭに格納された処理プログラムをＣＰＵが実行することによって行われる。
また、登録手段８には、信号登録部４に登録した登録内容を変更したり、クリア（削除）したりする機能が付加されている。また、信号登録部４には、同じ信号は登録できないようになっており、登録済みの信号と同じ信号を検出した場合、アラート表示するようになっている。
【００２４】
また、コントローラ２には、制御プログラム登録部１０が設けられている。この制御プログラム登録部１０は前記ＲＡＭによって構成されている。制御プログラム登録部１０には、コントローラ２に接続されている外部装置３やコントローラ２に設けられたスピーカ等の内部装置を制御する複数の制御プログラムが登録（格納）されている。制御プログラムは、住宅内の状態に応じて外部装置３や内部装置を制御するに最適なプログラムであり、例えば、どの外部装置３や内部装置をどのように制御するかを実行するものである。
住宅内の状態としては、例えば「留守」、「在宅」、「就寝」、「監視」等の状態が挙げられる。「留守」状態は、住宅から住人全てが外出している場合を想定しており、外部装置３に警報音を鳴らせたり、外部に通報させたり、カメラ録画させたりするような制御を行うようにしたものである。「在宅」状態は、住人のいずれかが在宅している場合を想定しており、外部装置３に警報音を鳴らせたり、外部に通報させたり、ドアホンの通知をコントローラ２に設けられたスピーカや表示部７に音や文字メッセージとして知らせるような制御を行うようにしたものである。「就寝」状態は、住人の就寝時を想定しており、外部装置３に警報音を鳴らせたり、照明を点灯させたりするような制御を行うようにしたものである。「監視」状態は、住宅に子供やお年寄りだけが在宅している場合を想定しており、警報音を鳴らせたり、外部に通報させたり、ドアホンの通知をコントローラ２に設けられたスピーカや表示部７に音や文字メッセージとして知らせるような制御を行うようにしたものである。
【００２５】
また、制御プログラム登録部１０には、ユーザが新たな制御プログラムを追加できるとともに、制御プログラム登録部１０に登録されている制御プログラムを削除することができるようになっている。
図１では追加された制御プログラムを「カスタム」として記載している。上記のような制御プログラムの追加、削除は、コントローラ２に設けられたキーボード等で構成された入力・選択手段１１を操作することによって行う。このような処理は、ＲＯＭに格納された処理プログラムをＣＰＵが実行することによって行われる。
さらに、制御プログラム登録部１０に登録されている複数の制御プログラムからユーザが住宅の状態によって所望の制御プログラムを選択できるようになっており、この選択は前記入力・選択手段１１を操作することによって行う。
【００２６】
また、コントローラ２には、制御プログラムを選択する場合のオプションとして、「遅延作動」、「アクション作動」、「タイマー作動」、「外線作動」等を選択できるようになっている。
「遅延作動」は、所望の制御プログラムを選択した場合に、この制御プログラムを所定の時間だけ遅らせて作動できるようにしたものであり、入力・選択手段１１を操作することによって選択する。「遅延作動」は、例えば、就寝する場合に、「就寝」の制御プログラムを選択してから所定の時間が経過した後制御が開始される。
「アクション作動」は、例えば、「留守」の制御プログラムを選択した場合に、ドアホンを鳴らせてから制御を開始するように設定できる。
「タイマー作動」は、指定時刻になったら選択され制御プログラムを開始するものである。
「外線作動」は、所望の制御プログラムを選択した後、外部からコントローラ２を制御して、選択した制御プログラムをＯＦＦにしたり、外部から所望の制御プログラムを選択できるようにしたものである。この場合、携帯電話や、パーソナルコンピュータ、ＰＤＡ等から電話回線やインターネット１４を介してコントローラ２を制御することにより行う。コントローラ２を制御する場合、これを直接制御したり、サーバ１３を介して制御すればよい。
【００２７】
また、コントローラ２には、制御信号登録部１２が設けられている。この制御信号登録部１２は前記ＲＡＭによって構成されている。制御信号登録部１２には、コントローラ２に接続されている外部装置３やコントローラ２に設けられた内部装置を制御する複数の制御信号が登録（格納）されている。制御信号は、前記外部装置３や内部装置を例えばON・OFF制御する信号であり、複数種類の外部装置３や内部装置をそれぞれ制御するようになっている。
制御信号には、例えば威嚇アクション用の制御信号、通報アクション用の制御信号、カメラ録画アクション用の制御信号、通知アクション用の制御信号、警報音アクション用の制御信号、照明点灯アクション用の制御信号等がある。
威嚇アクション用の制御信号は、外部装置３のスピーカやライトをONして、音や光を発するように制御するものである。これによって、不正侵入者を混乱させることができる。通報アクション用の制御信号は、外部装置３の電話機をONして、電話機に登録されている電話番号に連絡するように制御するものである。また、これに加えてコントローラ２に接続されているサーバ１３に、所定のメールアドレスに異常を知らせる電子メールを送信するように制御してもよい。カメラ録画アクション用の制御信号は、外部装置３のデジタルカメラやデジタルビデオカメラをONして、不正侵入者を録画するように制御するものである。また、この録画した画像データや動画データを前記サーバ１３に保存するとともに、このサーバ１３からインターネット１４を介して外部に送信するようにしてもよい。通知アクション用の制御信号は、外部装置３のドアホンが鳴った場合に、外部装置３のデジタルビデオカメラをONして来訪者を撮影するとともに、その動画をコントローラ２に設けられた表示部（内部装置）７に表示したり、ドアホンの通知をコントローラ２に設けられたスピーカや表示部７に音や文字メッセージとして知らせたり、コントローラ２に設けられたＬＥＤを点灯、点滅させるように制御するものである。警報音アクション用の制御信号は、外部装置３のスピーカをONして、警報音を発するように制御するものである。照明点灯アクション用の制御信号は、外部装置３の照明をONして、部屋に照明を灯すように制御するものである。故障アクション用の制御信号は、外部装置３に接続されたセンサが、外部装置３の電池切れや故障などを検知したり、無線センサ１が故障した場合に、コントローラ２に設けられたスピーカや表示部７に、電池切れや故障を音声や文字によって発するように制御するものである。
そして、上記のような各制御信号は、制御信号登録部１２の所定の番地にそれぞれ登録されている。
【００２８】
上記のような制御信号登録部１２に登録されている各制御信号は、所定の制御プログラムを実行することによって抽出されるようになっている。つまり、一つの制御プラグラムによって、少なくとも１つ以上の制御信号が抽出され、この制御信号によって外部装置３や内部装置が制御されるようになっている。例えば、制御プログラムが、「留守」状態のものであれば、この制御プログラムでは、外部装置３に警報音を鳴らせたり、外部に通報させたり、カメラ録画させたりするような制御を行うので、この制御プログラムを実行することによって、前記警報音アクション用の制御信号、通報アクション用の制御信号、カメラ録画アクション用の制御信号等が抽出されるようになっている。つまり、制御プログラムには、前記制御信号登録部１２に登録された複数の制御信号から、警報音アクション用の制御信号、通報アクション用の制御信号、カメラ録画アクション用の制御信号等を抽出して、これら制御信号を外部装置３に送信するような処理が記載されている。このような処理は制御プログラムをＣＰＵが実行することによって行われる。
【００２９】
また、上記のような各制御信号と、前記信号登録部４に登録された信号とは対応付けられている。すなわち、例えば、信号登録部４に登録されている警報信号は、制御信号登録部１２に登録されている威嚇アクション用の制御信号、通報アクション用の制御信号、カメラ録画アクション用の制御信号に対応付けられている。そして、防犯用の無線センサ１から発信された信号が異常信号であった場合、この異常信号と信号登録部４に登録された異常信号（警報信号）とを比較手段１５によって比較し、これらが一致した場合に、警報信号に対応付けられている威嚇アクション用の制御信号、通報アクション用の制御信号、カメラ録画アクション用の制御信号を抽出して、これら制御信号によって外部装置１３を制御するようになっている。
信号登録部４に登録されている通知信号は、制御信号登録部１２に登録されている通知アクション用の制御信号に対応付けられている。そして、ドアホンに接続されたセンサがドアホンが鳴ったことを検知して、その信号が送信されてきた場合、この信号と信号登録部４に登録された通知信号とを比較手段１５によって比較し、これらが一致した場合に、通知信号に対応付けられている通知アクション用の制御信号を抽出して、この制御信号によってコントローラ２に設けられたスピーカや表示部７を制御して、来訪者があることを知らせるようになっている。
信号登録部４に登録されている故障信号は、制御信号登録部１２に登録されている通知アクション用の制御信号に対応付けられている。そして、外部装置３に接続されたセンサが、外部装置３の電池切れや故障などを検知して、その信号が送信されてきた場合、この信号と信号登録部４に登録された故障信号とを比較手段１５によって比較し、これらが一致した場合に、故障信号に対応付けられている故障アクション用の制御信号を抽出して、この制御信号によってコントローラ２に設けられたスピーカや表示部７を制御して故障を知らせるようになっている。
【００３０】
また、コントローラ２には、制御信号登録部１２に、新たに制御信号を登録し、また、制御信号登録部１２に登録されている制御信号を削除する入力手段１６が設けられている。したがって、入力手段１６によって制御信号登録部１２に新たに制御信号を登録することができるので、制御すべき外部装置３を追加した場合に、この外部装置１３を容易に制御できる。また、制御信号登録部１２に登録されている制御信号を入力手段１６によって削除することができるので、制御すべき外部装置３を削除した場合に、不要の制御信号を容易に削除できる。
さらに、コントローラ２では、制御プログラム登録部１０に制御プログラムを登録し、また、制御プログラム登録部１０に登録されている制御プログラムを削除できるようになっている。これは前記入力・選択手段１１によって行う。
したがって、入力・選択手段１１によって制御プログラム登録部１０に制御プログラムを登録しまた削除することができるので、住宅の状態に応じた監視制御を容易に追加、削除できる。
【００３１】
次に、上記構成の住宅の監視制御システムの動作の一例について図２を参照して説明する。
まず、コントローラ２の信号登録部４に未登録信号を登録する。これはコントローラ２の電源をONとして、コントローラ２を起動した後、切替部６を操作して、コントローラ２を登録モードとする（ステップＳ１）。登録モードにすると表示部７に登録モードの状態が表示される。
この状態で無線センサ１から異常信号をテスト発信する。そして、受信部５が未登録信号（異常信号）を受信すると、未登録信号が検出されたことを表示部（液晶表示装置）７に画面表示する。表示部７では、ユーザにこの未登録信号に名称を付けるように文字等によって促す。未登録信号に名称を付与する場合、コントローラ２に設けられた登録手段８によって行う。この場合、例えば、前記表示部７に「警報信号」、「通知信号」、「故障信号」のいずれかを選択するようにユーザに促されるので、登録手段８によって、いずれかを選択する。これによって、無線センサ１から初めて受信した未登録信号に名称が付与されたうえで、この未登録信号が信号登録部４に登録される（ステップＳ２）。また、無線センサ１からの正常信号も同様にして信号登録部４に登録する、名称等は特に付与しなくてもよい。
そして、全てのセンサ１について同様の処理を行って、その信号（異常信号、正常信号）を信号登録部４に登録する。
【００３２】
上記のようにして全ての無線センサの信号の登録が終了したら、再び切替部６を操作して、コントローラ２を制御モードにする（ステップＳ３）。制御モードにすると、表示部７に、「留守」、「在宅」、「就寝」、「監視」の状態中のうち、所望の状態を選択するようにユーザに促されるので、入力・選択手段１１によって、所望の状態を選択する（ステップＳ４）。
すると、選択された制御モードの状態が表示部７に表示され、これによってユーザはどの制御モードを選択したかを確認する。なお、制御モードを変更したい場合や取り消したい場合は、前記表示部７に変更、取消の選択アイコンが表示されるので、それを入力・選択手段１１によって選択することによって行う。
【００３３】
制御モードの選択が終了すると、コントローラ２がそれに接続されている外部装置３や無線センサ１の状態を確認して、準備ＯＫならばそれが表示部７に表示される。ここで、例えば、外部装置３に接続されたセンサが、外部装置３の電池切れや故障などを検知したり、無線センサ１が故障したりして、その信号が送信されてきた場合、この信号と信号登録部４に登録された故障信号とを比較手段１５によって比較し、これらが一致した場合に、故障信号に対応付けられている故障アクション用の制御信号を抽出して、この制御信号によってコントローラ２に設けられたスピーカや表示部７を制御して故障を知らせる。
【００３４】
制御モードとして、例えば「留守」を選択した場合、その制御モードで住宅内を監視制御する（ステップＳ５）。すなわち、住宅の窓等に設置された防犯用の無線センサ１が通常状態で正常信号を発信している場合は、この正常の信号を受信部５によって受信し、この受信した正常信号と、信号登録部４に登録されている正常信号と比較してこれが一致している場合は異常なしとして、その異常なしの状態の時間帯等をコントローラ２に記憶する。
一方、住宅の窓等が割られ、不正侵入者があった場合、それを無線センサ１が検知して、異常信号を発信する（ステップＳ６）。
そして、防犯用の無線センサ１から発信されて、コントローラ２の受信部５が受信した異常信号と信号登録部４に登録された異常信号（警報信号）とを比較手段１５によって比較し（ステップＳ７）、これらが一致した場合に、警報信号に対応付けられている威嚇アクション用の制御信号、通報アクション用の制御信号、カメラ録画アクション用の制御信号を抽出して、これら制御信号によって外部装置１３を制御する（ステップＳ８）。
威嚇アクション用の制御信号は、外部装置３のスピーカやライトをONして、音や光を発するように制御し、これによって、不正侵入者を混乱させることができる。通報アクション用の制御信号は、外部装置３の電話機をONして、電話機に登録されている電話番号に連絡するように制御して、不正侵入者があったことを外部に通報する。外部としては、携帯電話を携帯している住人や、警備会社が挙げられる。同時に、コントローラ２に接続されているサーバ１３に、所定のメールアドレスに異常を知らせる電子メールを送信するように制御する。
また、カメラ録画アクション用の制御信号は、外部装置３のデジタルカメラやデジタルビデオカメラをONして、不正侵入者を録画するように制御する。そして、この録画した画像データや動画データを前記サーバ１３に保存するとともに、このサーバ１３からインターネット１４を介して外部に送信するようにしてもよい。
【００３５】
このようにして、住宅の監視制御を行う際、防犯用の無線センサ１は住宅の開口部ごとに設置するが、各無線センサ１の信号を登録しておき、この登録後に、無線センサ１から受信した信号と信号登録部４に登録された信号とを比較して異常信号が一致する場合に、コントローラ２によって外部装置３を制御して警報する。したがって、無線センサ１の製造メーカ、形式等に拘らず、該無線センサ１をシステムに組み込むことができる。したがって、不正な侵入者などの異常状態を検知する無線センサ１を、該センサの製造メーカ等に拘らず、容易に組み込んだり、取り替えたり、追加できる。
【図面の簡単な説明】
【００３６】
【図１】本発明に係る住宅の監視制御システムのシステム構成を示すブロック図である。
【図２】本発明に係る住宅の監視制御システムの動作を示すフローチャートである。
【符号の説明】
【００３７】
１  無線センサ
２  コントローラ
３  外部装置
４  信号登録部
５  受信部
６  切替部
７  表示部
８  登録手段
１０  制御プログラム登録部
１１  入力・選択手段
１２  制御信号登録部
１３  サーバ
１４  インターネット
１５  比較手段
１６  入力手段
【図１】
0004810223.tif 000002
【図２】
0004810223.tif 000003